(57)【要約】【課題】換気ファンに連通する換気ホースの引き回し方向を、大きく曲げたり変形させる事無く自由に変更できる空気調和機を提供する。【解決手段】室内の空気を換気する換気ファン４と、前記換気ファン４に連通し前記換気風を誘導する換気送風回路部５と、略Ｌ字状で一端が前記換気送風回路部５の送風口５ａに摺動自在に取着され、他端が室外と連通する換気ホース３に接続された接続部６を有するもので、換気ホース３の引回し方向を変える際に、接続部６が換気ホース３の引回し方向まで自在に摺動するので、換気ホース３を大きく曲げたり変形させる事が無く、さらに少ないスペースでの引回しが可能となる。【選択図】図２ 
2005133967.tif 000002
【特許請求の範囲】
【請求項１】
室内の空気を換気する換気ファンと、前記換気ファンに連通し前記換気風を誘導する換気送風回路部と、略Ｌ字状で一端が前記換気送風回路部の送風口に摺動自在に取着され、他端が室外と連通する換気ホースに接続された接続部を有する空気調和機。
【請求項２】
室内の空気を換気する換気ファンと、前記換気ファンに連通し前記換気風を誘導する換気送風回路部と、略Ｌ字状で一端が前記換気送風回路部の送風口に取着され他端が室外と連通する換気ホースに接続された接続部を設け、前記送風口と接続部は周方向で任意の角度で固定できるようにした空気調和機。
【請求項３】
換気送風回路部の送風口を下向きに開口させて設け、接続部の垂直方向の接続口を前記送風口に取着し、水平方向の接続口を換気ホースに接続するようにした請求項１または２記載の空気調和機。
【発明の詳細な説明】
【技術分野】
【０００１】
本発明は、空気調和機に関するもので、特に空気調和機に内蔵された換気ファンと換気ホースの接続に関するものである。
【背景技術】
【０００２】
従来の空気調和機の換気ホースの接続構成を図６を用いて説明する。
【０００３】
図６において、２０は、空気調和機の室内の壁２１に設置された室内ユニット本体で、内部に換気ファンユニット２２が内蔵されている。前記換気ファンユニット２２の室内ユニット本体２０の背面側方向に設けられた送風出口部２２ａに、外気と連通する換気ホース２３が接続されていた（例えば、特許文献１参照）。
【特許文献１】特開２０００−１７１０５５号公報
【発明の開示】
【発明が解決しようとする課題】
【０００４】
しかしながら、前記従来の構成では、換気ファンユニット２２からの送風出口部２２ａの方向が固定されているため、換気ホース２３の取付け方向が一方向に決められてしまうことになる。そうした場合、換気ホース２３を室内側から室外へ出すため、右または左方向へ引回す際に、前記換気ホース２３を前記送風出口部２２ａの方向に対し９０°以上に曲げる必要が発生し、換気ホース２３の剛性が高い場合や換気ホース２３の径を大きくしたい場合には、前記換気ホース２３の外形を室内ユニット本体２０の断面投影面積内に納めることが出来なくなり、室内ユニット本体２０を壁に取付ける際に、室内ユニット本体２０が浮いてしまったり、換気ホース２３を変形させてしまうといった課題を有していた。
【０００５】
本発明は、前記従来の課題を解決するもので、換気ホースを室内側から室外へ出す時に、換気ホースを大きく曲げることなく、自由に引回し方向を変える事ができる空気調和機を提供することを目的とする。
【課題を解決するための手段】
【０００６】
前記従来の課題を解決するために、本発明の空気調和機は、室内の空気を換気する換気ファンと、前記換気ファンに連通し換気風を誘導する換気送風回路部と、略Ｌ字状で一端が前記換気送風回路部の送風口に摺動自在に取着され、他端が室外と連通する換気ホースに接続された接続部を有するもので、換気ホースの引回し方向を変える際に、接続部が換気ホースの引回し方向まで自在に摺動するので、換気ホースを大きく曲げたり、変形する事が無く、さらに少ないスペースでの引回しが可能となる。
【０００７】
また本発明の空気調和機は、室内の空気を換気する換気ファンと、前記換気ファンに連通し前記換気風を誘導する換気送風回路部と、略Ｌ字状で一端が前記換気送風回路部の送風口に取着され他端が室外と連通する換気ホースに接続された接続部を設け、前記送風口と接続部は周方向で任意の角度で固定できるようにしたもので、換気ホースの引回し方向を変える際には、前記接続部を前記送風口から一旦取り外し、希望の固定角度方向に再取付けすることにより換気ホースの引回し方向の変更が可能となり、換気ホースを大きく曲げること無く、少ないスペースでの引回しが可能となる。
【発明の効果】
【０００８】
本発明の空気調和機は、換気ホースを大きく曲げたり変形させること無く引回し方向を
自由に変えることができるとともに、換気ホースの曲げに伴うスペースを少なくすることができる。
【発明を実施するための最良の形態】
【０００９】
第１の発明は、室内の空気を換気する換気ファンと、前記換気ファンに連通し換気風を誘導する換気送風回路部と、略Ｌ字状で一端が前記換気送風回路部の送風口に摺動自在に取着され、他端が室外と連通する換気ホースに接続された接続部を有するもので、換気ホースの引回し方向を変える際に、接続部が換気ホースの引回し方向まで自在に摺動するので、換気ホースを大きく曲げたり、変形する事が無く、さらに少ないスペースでの引回しが可能となる。
【００１０】
第２の発明は、室内の空気を換気する換気ファンと、前記換気ファンに連通し前記換気風を誘導する換気送風回路部と、略Ｌ字状で一端が前記換気送風回路部の送風口に取着され他端が室外と連通する換気ホースに接続された接続部を設け、前記送風口と接続部は周方向で任意の角度で固定できるようにしたもので、換気ホースの引回し方向を変える際には、前記接続部を前記送風口から一旦取り外し、希望の固定角度方向に再取付けすることにより換気ホースの引回し方向の変更が可能となり、換気ホースを大きく曲げること無く、少ないスペースでの引回しが可能となる。
【００１１】
第３の発明は、特に、第１又は第２の発明の換気送風回路部の送風口を下向きに開口させて設け、接続部の垂直方向の接続口を前記送風口に取着し、水平方向の接続口を換気ホースに接続するようにしたもので、送風通路の曲がり部分が少なくて済むので、空気圧損が少なく、送風効率が向上するものである。
【００１２】
以下、本発明の実施の形態について、図面を参照しながら説明する。なお、この実施の形態によって本発明が限定されるものではない。
【００１３】
（実施の形態１）
図１は、本発明の第１の実施の形態における空気調和機の室内ユニットの概略断面図、図２は同空気調和機の換気ファンユニットとその関連部品の詳細を示す斜視図である。
【００１４】
図１、図２において、１は、室外ユニット（図示せず）と冷媒配管（図示せず）で接続される室内ユニット本体である。４は室内の空気を室外に排出して室内の空気を換気するための換気ファンで、５は、前記換気ファン４に連通すると共に換気風を誘導する換気送風回路部であり、換気ファン４と換気送風回路部５は連結されて換気ファンユニット２を構成し、室内ユニット本体１に内蔵されている。
【００１５】
６は、略Ｌ字状でかつ円筒状の接続部で、換気送風回路５に設けられた送風口５ａに、接続部６の垂直方向の接続口６ａが固定具７により固定され、水平方向の接続口６ｂには室外と連通する換気ホース３が接続されている。
【００１６】
固定具７は右固定具８と左固定具９にそれぞれ半円形に分割されており、右固定具８に設けられた爪部８ａを左固定具９に設けられた穴部９ａに垂直方向の接続口６ａを包み込むようにして係合され、ネジ１０で換気ファンユニット２の換気送風回路部５に設けられたボス部５ｂに共締めされる。これにより接続部６は、換気送風回路５の送風口５ａの円周方向での摺動が可能となる。
【００１７】
上記構成により、換気ホース３の引き回し方向を任意の方向に変えようとすると、接続部６がそれに追随して換気送風回路５の送風口５ａを中心に回動摺動するので、換気ホース３が曲げられり、つぶれたりすることなく、引き出し方向を自由に変えることができる
。
【００１８】
（実施の形態２）
図３は、本発明の第２の実施の形態における換気ファンユニット２並びにその関連部品の斜視図、図４は、換気送風回路５の送風口５ａの下面図、図５は、接続部６の接続口６ａの上面図を示すものである。
【００１９】
図において、換気送風回路５の送風口５ａのまわりに凸状の突起５ｃが送風口５ａの中心軸まわりにそれぞれの中心間が４５°の角度になるよう３個所設けられている。また接続部６の接続口６ａのまわりには、切り欠き部６ｃが接続口６ａの中心軸まわりにそれぞれの中心間が４５°の角度になるよう５個所設けられている。
【００２０】
換気送風回路５の送風口５ａに接続部６の接続口６ａを取り付ける際に、接続部６に設けた切り欠き部６ｃを前記換気送風回路５の送風口５ａの周りに設けた突起５ｃに嵌合させることにより、接続口６の接続口６ａを左右にそれぞれ４５°の角度の位置で固定することができるものである。
【００２１】
また、接続部６の接続口６ａの外周の一部には、爪部６ｄが換気送風回路５の送風口５ａ側に突出して設けられており、接続部６を換気送風回路部５の送風口５ａに挿入した際、前記爪部６ｄが送風口５ａの上部に設けられた鍔部５ｄに係合し、接続部６の固定が可能となる。
【００２２】
以上のように、接続部６は、接続口６ａに設けた複数の切り欠き部６ｃを、換気送風回路部５の送風口５ａのまわりに設けられた突起５ｃに合せて、３個所の位置での固定が可能となり、換気ホース３の引き回しを変更する際には、接続部６を引き回し方向に合せて位置替えすることにより、換気ホース３を大きく曲げることなく、換気ホース３の方向変更が可能となる。
【００２３】
なお、本実施の形態の換気送風回路部５の突起５ｃと接続部６の切り欠き部６ｃの数をそれぞれ増やして角度を細かくすることにより、３個所以上の回動位置での変更が可能となり、細かな角度変更も可能となる。
【産業上の利用可能性】
【００２４】
以上のように、本発明に係る空気調和機は、換気ホースを大きく曲げたり変形させること無く引回し方向が変えられるので、送風通路に接続され引き出し方向を変更する必要性のあるホースを用いた各種送風機機器、空調機器、空気清浄機器等にも広く適用可能である。
【図面の簡単な説明】
【００２５】
【図１】本発明の実施の形態１における空気調和機の室内ユニットの概略断面図
【図２】同室内ユニットの換気ファンユニット並びにその関連部品の斜視図
【図３】本発明の実施の形態２における空気調和機の室内ユニットに内蔵された換気ファンユニット並びにその関連部品の斜視図
【図４】同換気ファンユニットの換気送風回路の送風口の下面図
【図５】同送風口に接続される接続部の接続口の上面図
【図６】従来の空気調和機の室内ユニットの概略部分断面図
【符号の説明】
【００２６】
１    室内ユニット
２    換気ファンユニット
３    換気ホース
４    換気ファン
５    換気送風回路部
５ａ  送風口
５ｃ  突起
６    接続部
６ａ  接続口
６ｂ  接続口
６ｃ  切り欠き部
７    固定具
【図１】
2005133967.tif 000003
【図２】
2005133967.tif 000004
【図３】
2005133967.tif 000005
【図４】
2005133967.tif 000006
【図５】
2005133967.tif 000007
【図６】
2005133967.tif 000008